(57)【要約】      （修正有）【課題】磨耗を防ぎ、且つ開閉動作を所望のタイミングで行い、コンパクト性に優れた蓋体若しくは試薬容器を有する自動分析装置、蓋体及び試薬容器を提供する。【解決手段】試薬を格納する試薬容器７と、複数の試薬容器を格納する試薬庫と、複数の試薬容器を、順番に試薬庫内の試薬吸引位置に配置されるように移動させる試薬容器移動手段と、試薬吸引位置の試薬容器に格納された試薬を吸引するプローブと、プローブの試薬容器内への進入経路を開閉する回転部１１１と、試薬容器移動手段によって試薬容器が試薬吸引位置に移動したときに、回転部に含まれる磁性体１１２に作用して回転部を回転させて進入経路が開くように磁場を発生する磁場発生部と、を備える。【選択図】図４
2014002137.tif 000002
【特許請求の範囲】
【請求項１】
試薬を収容するための試薬容器を格納する試薬庫と、
複数の前記試薬容器を、順番に前記試薬庫内の試薬吸引位置に配置されるように移動させる試薬容器移動手段と、
前記試薬吸引位置に配置された前記試薬容器に収容された試薬を吸引するプローブと、
前記プローブの前記試薬容器内への進入経路を開閉する回転部と、
前記試薬容器移動手段によって前記試薬容器が前記試薬吸引位置に移動したときに、前記回転部に含まれる磁性体に作用して前記回転部を回転させて前記進入経路が開くように磁場を発生する磁場発生部と、
を備える自動分析装置。
【請求項２】
前記回転部は、自転することにより、前記プローブの前記試薬容器内への進入経路を開閉し、前記進入経路が開いている状態では、前記進入経路に沿って貫通する穴が備わる請求項１記載の自動分析装置。
【請求項３】
前記回転部は、前記進入経路と実質的に直交するような、前記回転部の重心を通らない直線を軸として自転する請求項２に記載の自動分析装置。
【請求項４】
前記回転部は、中心を通る直線を軸として自転し、前記回転部の重心は前記軸上にはない請求項２又は３に記載の自動分析装置。
【請求項５】
前記回転部は、前記試薬容器に取り付けられる蓋体に備わる請求項１乃至４いずれか一項に記載の自動分析装置。
【請求項６】
前記蓋体は、表面に疎水加工が施され、前記回転部の周りを囲うように配置され、前記回転部に対して外側へ下降して傾斜する部分を含む傾斜部を更に有し、
前記回転部は、一部が露出し、その露出した部分は前記傾斜部の上端より上部にある請求項５に記載の自動分析装置。
【請求項７】
前記回転部は、前記試薬容器に備わる請求項１に記載の自動分析装置。
【請求項８】
前記試薬容器は、表面に疎水加工が施され、前記回転部の周りを囲うように配置され、前記回転部に対して外側へ下降して傾斜する部分を含む傾斜部を更に有し、
前記回転部は、一部が露出し、その露出した部分は前記傾斜部の上端より上部にある請求項１又は７に記載の自動分析装置。
【請求項９】
前記回転部が１回転以上自転しないようにするための回転制限部を更に有する請求項２乃至８のいずれか一項に記載の自動分析装置。
【請求項１０】
磁性体を有し、磁場の影響を受け、中心を通る直線を軸として自転動作を行うことでプローブが進入する経路の開閉を行う、前記軸上に重心が無い回転部を備える蓋体。
【請求項１１】
表面に疎水加工が施され、前記回転部の周りを囲うように配置され、前記回転部に対して外側へ下降して傾斜する部分を含む傾斜部を更に備え、
前記回転部は、一部が露出し、その露出した部分は前記傾斜部の上端より上部にある請求項１０に記載の蓋体。
【請求項１２】
磁性体を有し、磁場の影響を受け、中心を通る直線を軸として自転動作を行うことでプローブが進入する経路の開閉を行う、前記軸上に重心が無い回転部を備える試薬容器。
【請求項１３】
表面に疎水加工が施され、前記回転部の周りを囲うように配置され、前記回転部に対して外側へ下降して傾斜する部分を含む傾斜部を更に備え、
前記回転部は、一部が露出し、その露出した部分は前記傾斜部の上端より上部にある請求項１２に記載の試薬容器。
【発明の詳細な説明】
【技術分野】
【０００１】
本発明の実施形態は、自動分析装置、蓋体及び試薬容器に関する。
【背景技術】
【０００２】
生化学分析装置等においては人体の血液や尿をサンプルとして用い、これに所望の試薬を反応させる。そしてこの反応状態を光学的に測定して化学分析が行われている。この反応を安定させるため、試薬の蒸発防止及び品質の安定化を図る必要がある。
【０００３】
試薬を格納する試薬容器は、プローブが試薬を吸引するための開口部があり、常に試薬容器外と通じている。このため試薬の蒸発による試薬濃度の変化、エアーコンタミネーション、冷却された試薬庫による結露水の混入等が発生し、品質が劣化する可能性が生じる。試薬の品質が劣化した場合、正常な反応が行われず、測定精度が低下する。
【０００４】
試薬容器に、スライド機構を設けた蓋を用いることによって開閉状態の制御を可能にした場合、蓋が磨耗してしまう可能性がある。また、蓋の機構が複雑になってしまい、コンパクト性にも欠ける。
【先行技術文献】
【特許文献】
【０００５】
【特許文献１】特開平５−２０７０号公報
【特許文献２】特開２０００−２４１４３４号公報
【特許文献３】特開２０１１−１３２３５号公報
【特許文献４】特開２０１２ー２１８６１号公報
【発明の概要】
【発明が解決しようとする課題】
【０００６】
本発明が解決しようとする課題は、磨耗することなく、且つ開閉動作を所望のタイミングで行い、コンパクト性に優れた蓋体若しくは試薬容器を有する自動分析装置、蓋体及び試薬容器を提供することである。
【課題を解決するための手段】
【０００７】
上記の課題を解決するために、一実施形態の自動分析装置は、試薬を収容するための試薬容器を格納する試薬庫と、複数の前記試薬容器を、順番に前記試薬庫内の試薬吸引位置に配置されるように移動させる試薬容器移動手段と、前記試薬吸引位置に配置された前記試薬容器に収容された試薬を吸引するプローブと、前記プローブの前記試薬容器内への進入経路を開閉する回転部と、前記試薬容器移動手段によって前記試薬容器が前記試薬吸引位置に移動したときに、前記回転部に含まれる磁性体に作用して前記回転部を回転させて前記進入経路が開くように磁場を発生する磁場発生部と、を備えることを特徴とする。
【図面の簡単な説明】
【０００８】
【図１】実施形態における、自動分析装置の構成を示すブロック図である。
【図２】実施形態における、分析部の構成を示す概略図である。
【図３】第１の実施形態における、蓋体部と試薬容器の概略図である。
【図４】第１の実施形態における、蓋体部と試薬容器の概略図である。
【図５】第１の実施形態における、蓋体部と試薬容器を上から見たときの概略図である。
【図６】第１の実施形態における、蓋体部と試薬容器の概略図である。
【図７】第２の実施形態における、蓋体部及び試薬容器の断面の概略図である。
【図８】第２の実施形態における、蓋体部を上から見たときの概略図である。
【図９】第３の実施形態における、蓋体部及び試薬容器の断面の概略図である。
【図１０】第４の実施形態における、蓋体部及び試薬容器の断面の概略図である。
【図１１】第５の実施形態における、試薬容器の断面の概略図である。
【図１２】第６の実施形態における、蓋体部及び試薬容器の断面の概略図である。
【図１３】第６の実施形態における、蓋体部及び試薬容器の断面の概略図である。
【発明を実施するための形態】
【０００９】
以下、図面を参照して各実施形態について説明する。
【００１０】
（第１の実施形態）
本実施形態の自動分析装置について、以下に詳細な説明を行う。
【００１１】
図１は、本実施形態における自動分析装置の概略図である。
【００１２】
自動分析装置１００は、被検試料やキャリブレータの測定を行う分析部８０と、分析部８０の制御を行う分析制御部７０と、分析部８０から出力された分析信号を処理して分析データを算出する分析データ処理部３０と、分析データ処理部３０からの分析データを出力する出力部４０と、分析条件や各種コマンド信号を入力する操作部５０と、磁場を発生させる磁場発生部９０と、前述したこれらのユニットを統括して制御するシステム制御部６０とを備えている。
【００１３】
分析データ処理部３０は、分析部８０から出力されたキャリブレーション信号、分析信号などからキャリブレーションテーブルの作成、分析データの算出などを行う演算部３１と、演算部３１で作成されたキャリブレーションテーブルや算出された分析データなどを保存する記憶部３２とを備えている。
【００１４】
演算部３１は、分析部８０から出力された各項目のキャリブレーション信号から各項目のキャリブレーションテーブルを作成して出力部４０に出力すると共に記憶部３２に保存する。また、演算部３１は、分析部８０から出力された各項目の分析信号に対して、その分析信号の項目に対応したキャリブレーションテーブルを記憶部３２から読み出した後、このキャリブレーションテーブルを用いて分析データを算出して出力部４０に出力すると共に記憶部３２に保存する。
【００１５】
記憶部３２は、ハードディスクなどを備え、演算部３１から出力されたキャリブレーションテーブル、分析データなどを被検試料毎に保存する。
【００１６】
出力部４０は、分析データ処理部３０から出力されたキャリブレーションテーブル、分析データなどを印刷出力する印刷部４１及び表示出力する表示部４２と、分析データなどを外部の情報システムなどに出力するためのオンライン部４３とを備えている。そして、印刷部４１は、プリンタなどを備え、分析データ処理部３０から出力されたキャリブレーションテーブル、分析データなどを予め設定されたフォーマットに基づいて、プリンタ用紙に印刷出力する。また、表示部４２は、ＣＲＴや液晶パネルなどのモニタを備え、分析データ処理部３０から出力されたキャリブレーションテーブル、分析データなどの表示や、システム制御部６０からの指示により分析条件を設定するための画面の表示を行う。
【００１７】
操作部５０は、キーボード、マウス、ボタン、タッチパネルなどのポインティングデバイスを備え、分析条件の設定、被検体の被検体ＩＤや被検体名などの被検体情報の入力、被検体の被検試料毎の測定項目の選択、各項目のキャリブレーション操作、被検試料分析操作などの様々な操作が行われる。
【００１８】
磁場発生部９０は、蓋体部１１０の回転部１１１を自転させるための磁場を発生させる。磁場発生部９０として、永久磁石を用いてもよいし、電磁石等を用いてもよい。電磁石等を用いて磁場発生のＯＮ／ＯＦＦを切り替える場合には、システム制御部６０によってＯＮ／ＯＦＦが制御される。ここで、本実施形態において、回転部１１１の自転とは、回転部１１１内部を通る任意の直線を回転軸として、外力をもとにして回転することを指す。
【００１９】
システム制御部６０は、磁場発生部９０のＯＮ／ＯＦＦ制御を行う。システム制御部６０は、試薬容器７が分注位置に配置されたときに磁場をＯＮにし、それ以外のときには磁場をＯＦＦにする制御を行う。また、図示しないＣＰＵと記憶回路を備え、操作部５０から供給される操作者のコマンド信号、分析条件、被検体情報、被検試料毎の測定項目などの情報を記憶した後、これらの情報に基づいて、分析部８０を構成する各ユニットを一定サイクルの所定のシーケンスで動作させる制御、或いはキャリブレーションテーブルの作成、分析データの算出と出力に関する制御などシステム全体の制御を行なう。
【００２０】
ここで分析部８０、分析制御部７０及び磁場発生部９０について、図２を参照して詳細に説明する。
【００２１】
図２（ａ）は分析部８０の斜視図である。この分析部８０は、被検試料の項目や、この項目のキャリブレータに対して選択的に反応する第１試薬や第１試薬と対の第２試薬などの試薬が入った試薬容器７と、この試薬容器７を収納する試薬ラック１と、第１試薬の入った試薬容器７を収納した試薬ラック１を収納する試薬庫２と、第２試薬の入った試薬容器７を収納した試薬ラック１を収納する試薬庫３と、円周上に複数の反応管４を配置した反応ディスク５と、被検試料やキャリブレータを納める被検試料容器１７をセットするディスクサンプラ６と、磁場発生部９０とを備えている。
【００２２】
そして、１サイクル毎に、試薬庫２、試薬庫３、及びディスクサンプラ６は夫々回動し、反応ディスク５は回転して分析制御部７０により制御された位置に停止する。このとき、試薬庫２及び試薬庫３付近に設置された磁場発生部９０は、試薬を吸引する位置に停止した試薬容器７に備わる蓋体部１１０に対して磁場を発生し、磁力を与える。電磁石を用いて磁場のＯＮ／ＯＦＦを制御する場合は、各プローブが試薬を吸引すべく上下動するタイミングのみ磁場をＯＮにしてもよい。このとき、それら制御はシステム制御部６０が行う。蓋体部１１０に備わる回転部１１１は、磁場の影響を受けて自転動作を行うことで、開閉状態が制御される。磁場発生部９０に関する詳細は図２（ｂ）を用いて後述する。
【００２３】
次に、プローブに関して述べる。なお、本実施形態の自動分析装置１００は、第１試薬分注プローブ１４、第２試薬分注プローブ１５、サンプル分注プローブ１６を有する。下記において、「プローブ」と記載する場合は、それら三種類のプローブを総じていることを意味している。
【００２４】
分析部８０は、１サイクル毎に、試薬庫２及び３の第１及び第２試薬吸引位置の試薬容器７から第1及び第２試薬を吸引した後、第１及び第２試薬分注位置に停止した反応管４に分注する第１試薬分注プローブ１４及び第２試薬分注プローブ１５と、ディスクサンプラ６の分析制御部７０に制御された位置の被検試料容器１７から被検試料或いはキャリブレータを吸引した後、被検試料分注位置に停止した反応管４に分注するサンプル分注プローブ１６とを備えている。
【００２５】
そして第１試薬分注プローブ１４、第２試薬分注プローブ１５、及びサンプル分注プローブ１６を回動及び上下動可能に保持する第１試薬分注アーム８、第２試薬分注アーム９、及びサンプル分注アーム１０を備えている。
【００２６】
更に、１サイクル毎に、撹拌位置に停止した反応管４内における被検試料＋第１試薬、キャリブレータ＋第１試薬、被検試料＋第１試薬＋第２試薬、キャリブレータ＋第１試薬＋第２試薬などの混合液を撹拌する撹拌ユニット１１と、この混合液を含む反応管４を測光位置から測定する測光ユニット１３と、洗浄・乾燥位置に停止した反応管４内の測定を終えた混合液を吸引すると共に、反応管４内を洗浄・乾燥する洗浄ユニット１２とを備えている。
【００２７】
測光ユニット１３は、回転移動する反応管４に測光位置から光を照射して混合液の吸光度変化を測定し、その測定から得られた被検試料或いはキャリブレータの分析信号或いはキャリブレーション信号を分析データ処理部３０に出力する。その後、混合液の測定を終了して洗浄・乾燥された反応管４は、再び測定に使用される。
【００２８】
分析制御部７０は、試薬庫２及び試薬庫３、ディスクサンプラ６の夫々回動、反応ディスク５の回転、分注アーム１０、第１試薬分注アーム８、第２試薬分注アーム９、及び撹拌ユニット１１の夫々回動及び上下動、洗浄ユニット１２の上下動などを行う機構及び各機構の制御部を備えている。また、サンプル分注プローブ１６から被検試料及びキャリブレータを吸引及び吐出させるための分注ポンプ、第１試薬分注プローブ１４から第１試薬を吸引及び吐出させるための第１試薬ポンプ、第２試薬分注プローブ１４から第２試薬を吸引及び吐出させるための第２試薬ポンプ、洗浄ユニット１２から反応管４内洗浄用の洗浄液を供給及び吸引させるための洗浄ポンプ及び反応管４内を乾燥させるための乾燥ポンプなどの各種ポンプ及び各種ポンプの制御部を備えている。
【００２９】
更に、撹拌ユニット１１を撹拌駆動する機構及び制御部を備えている。
【００３０】
図２（ｂ）は、試薬庫２及び試薬庫３の付近に配置された磁場発生部９０に関する概略図である。
【００３１】
矢印方向に試薬容器７が移動していき、各プローブが試薬を吸引する位置に来た試薬容器７は、磁気発生部９０から発生される磁場の影響を受けて、回転部１１１が自転する。図２（ｂ）においては、Ｃの試薬容器７が磁場の影響を受けており、その後試薬容器７の移動に従い、Ｄ，Ｅ，Ｆの試薬容器７が磁場の影響を受ける。
【００３２】
なお、本実施形態において、磁場発生部９０は試薬庫２及び試薬庫３の外側に配置する例を示したが、これに限ることはない。磁場発生部９０は、各試薬庫のカバー（図示なし）に設けられてもよく、又は各試薬庫の内側に設けられてもよい。その他、試薬容器７に適切に磁場の影響を与えることが可能な種々の位置に配置される。
【００３３】
ここで試薬容器７及び蓋体部１１０について、図３及び図４を参照して後述する。
【００３４】
図３及び図４は、試薬容器及び蓋体部の概略図であり、図３における点線の範囲の拡大図が図４である。
【００３５】
試薬容器７は、開口部１２０を有し、内部に試薬Ｒを格納する。そして開口部１２０には蓋体部１１０が取り付けられる。
【００３６】
蓋体部１１０は、穴の空いた回転部１１１と、回転部１１１を支持する支持部１１５で構成される。回転部１１１は、例えば球型をしており、少なくとも１つの穴が貫通している。この穴は、回転部１１１が自転することにより見え隠れする。回転部１１１は、それぞれ比重の異なる、磁性体部１１２及び非磁性体部１１３を有する。比重の重い磁性体部１１２が下、比重の軽い非磁性体部１１３が上の状態にあるとき、回転部１１１は蓋体部１１０を閉口状態にする。
【００３７】
磁性体部１１２は、例えば鉄やニッケル等が好適である。非磁性体部１１３は、例えばプラスチックやシリコン等の物質が好適である。回転部１１１の開閉動作に関して、図５を用いて説明する。なお、磁性体部１１２として永久磁石を用いてもよい。
【００３８】
図５は、本実施形態における蓋体部及び試薬容器を上から見たときの概略図である。
【００３９】
試薬庫２及び試薬庫３における試薬吸引位置近傍に取り付けられた磁場発生部９０から発生した磁場により、磁性体部１１２を引き付ける。そして回転部１１１は、自転動作を行い、回転部１１１の穴を介して試薬容器７の内部と外部とを連通させることにより、蓋体部１１０を開口状態にする。即ち図５において、回転部１１１は、Ｙ方向を軸にして自転する。
【００４０】
ここで、回転部１１１は、重心が中心を通る直線上にはないように磁性体部１１２が設けられることが好適である。そして回転部１１１は、中心を通る直線を軸として自転するのが好ましい。
【００４１】
そして磁場の影響が少なくなると、比重の重い磁性体部１１２が、重力及び遠心力等の影響を受けて、図４に示したような状態へと移るように自転動作する。このときの遠心力とは、試薬庫２又は試薬庫３が回転するときに生じる遠心力である。
【００４２】
なお、磁性体部１１２として永久磁石を用いる場合、磁場発生部９０から発生される磁場によって磁性体部１１２を反発させることで、回転部１１１を自転させてもよい。
【００４３】
また、回転部１１１の形状は、球型、楕円型、円柱型等の曲線型でもよいし、多角柱型などでもよい。
【００４４】
また、閉口状態にある回転部１１１は、図６に示すように水平方向にフラットな形状をしていてもよい。これは自転動作に不具合が生じた場合、試薬を吸引するためのプローブが回転部１１１に衝突することに備える為である。プローブが衝突する回転部１１１が湾曲していると、プローブが湾曲形状に沿って移動することで、水平方向に力が加わってしまう。これにより、プローブがダメージを受ける。そこで、回転部１１１を水平方向にフラットにすることにより、プローブが回転部１１１に衝突した場合には、水平方向に力が加わることなく、直ちに異常を検知することができる。これはプローブの破損を防ぐとともに、スループットの向上にも繋がる。
【００４５】
次に、本実施形態に係る自動分析装置の効果を説明する。
【００４６】
本実施形態によると、回転部に設けられた磁性体が、磁場発生部によって発生させた磁場の影響を受けることにより、回転部が自転する。そしてこの回転部の回転動作により、蓋体部の開閉を制御する。これにより、開閉動作を行うための機構を非接触且つ省スペースで実現する。また、試薬容器に取り付けられる蓋体部を所望のタイミング時のみ開口状態にすることで、試薬の不要な蒸発や汚染を防ぐことができる。その結果、より高精度な各種被検試料の分析を行うことが可能になる。
【００４７】
（第２の実施形態）
第２の実施形態は、第１の実施形態と比べて、蓋体部の形状が異なる。
【００４８】
図７は、本実施形態における蓋体部及び試薬容器の断面の概略図である。
【００４９】
蓋体部１１２は、上部に傾斜部１１６を有する。傾斜部１１６の表面は、毛細管現象によって液体を吸着する機能を設けるか、若しくはロータス効果によって液体を弾く機能を設けるのが好ましい。
【００５０】
図８は、蓋体部を上からみたときの概略図である。
【００５１】
回転部１１１をほぼ中心として、傾斜部１１６が放射状に広がり、傾斜している。このとき必ずしも回転部１１１が中心となる必要はない。また、傾斜部１１６の傾斜角度は場所に依って異なっていてもよい。傾斜部１１６は図８（ａ）に示す矢印のとおり、回転部１１１から外周縁に向かって降るように傾斜している。
【００５２】
図８（ｂ）は、傾斜部１１６に、毛細管現象によって液体を吸着する機能を設ける例を示している。傾斜部１１６の表面に管を複数設置することにより、液体が斜面に沿って流れやすいようにする。
【００５３】
図８（ｃ）は、傾斜部１１６に、ロータス効果によって水を弾く機能を設ける例を示している。傾斜部１１６は、液体が斜面に沿って流れやすいように、表面にマイクロサイズの突起部１１７が設けられる。
【００５４】
また、傾斜部１１６は、表面にスポンジ等の多孔質材料を用いてもよい。これにより、試薬容器７内への結露水等の混入を軽減することができる。
【００５５】
本実施形態によると、蓋体部に傾斜部を備えることにより、結露水等が斜面を伝って試薬容器外部へと流れやすくなる。これにより、蓋体部上に結露水等が溜まることが軽減されることからも、試薬容器内部への結露水等の混入を軽減することが可能になる。また、傾斜部表面に図８（ｂ）、（ｃ）に示すような加工を施すことにより、結露水等の試薬容器内部への混入をより軽減することができる。その結果、より高精度な各種被検試料の分析を行うことが可能になる。
【００５６】
（第３の実施形態）
第３の実施形態は、第１の実施形態及び第２の実施形態と比べて、回転部１１１の設置位置が異なる。磁場を用いて回転部１１１を自転動作させる機構は、第１の実施形態及び第２の実施形態と同様である。
【００５７】
図９（ａ）は、本実施形態における、蓋体部及び試薬容器の断面の概略図である。
【００５８】
回転部１１１は、少なくとも蓋体部１１２を閉口する状態であるときは、その上端は傾斜部１１６よりも上側に備わる。このような構成により、回転部１１１上に溜まった結露水等が、試薬容器７内に混入してしまうことを防止することが可能になる。
【００５９】
図９（ｂ）は、蓋体部が傾斜部を有する場合の、本実施形態における、蓋体部及び試薬容器の断面の概略図である。
【００６０】
蓋体部１１２は、図９（ｂ）に示す通り、傾斜部１１６を有していることが好適である。
【００６１】
本実施形態によると、回転部の一端が傾斜部より上部に備わることにより、試薬庫にて冷却されたことなどによる結露水等が試薬容器内へ混入することを軽減することが可能になる。またこのとき、第２の実施形態で説明した傾斜部を蓋体部に備えることにより、試薬容器内部への結露水等の混入をより軽減することが可能になる。その結果、より高精度な各種被検試料の分析を行うことが可能になる。
【００６２】
（第４の実施形態）
第４の実施形態は、第１の実施形態乃至第３の実施形態と比べて、回転部１１１の自転角度を制限する回転制限部１１４を蓋体部１１０に設ける点が異なる。磁場を用いて回転部１１１を自転動作させる機構は、第１の実施形態乃至第３の実施形態と同様である。なお、本実施形態は、第１の実施形態乃至第３の実施形態いずれの形態においても組み合わせて適用することが可能である。
【００６３】
図１０は、本実施形態における蓋体部及び試薬容器の断面の概略図である。
【００６４】
支持部１１５に、回転制限部１１４が備わっている。
【００６５】
回転制限部１１４は、回転部１１１が必要以上に自転動作を行わないようにするための、ストッパーの役割を果たす。材料はプラスチックやシリコン等、種々の材料が適用される。図１０において、閉口状態（図１０（ａ））では、磁性体部１１２の左側に回転制限部１１４が接触している。この場合、回転部１１１は、これ以上時計回りに自転することは不可能になる。一方、開口状態（図９（ｂ））では非磁性体部１１３と回転制限部１１４が接触しており、回転部１１１はこれ以上反時計回りに自転することは不可能である。このように、回転制限部１１４を設けることにより、回転部１１１が必要最小限の範囲で自転動作を行うことができる。これにより、試薬庫２の自転動作時等に不要に回転部１１１が自転してしまい、試薬容器内部が開放状態となることによって及ぼされる試薬への影響を軽減することが可能となる。
【００６６】
また、回転制限部１１４及び回転部１１１は、バネ等の弾性体で接続されていてもよい。その場合、磁場の影響を受けて回転部１１１が自転して開口状態となるとともに、バネ等の弾性体は伸張している状態となる。そして磁場をＯＦＦにすると、バネ等の弾性体が収縮することにより、自動的に閉口状態へと移る。これにより、重力のみならずバネ等の弾性体による張力を用いることで、より精確に開閉状態の制御を行うことが可能になる。
【００６７】
（第５の実施形態）
第５の実施形態は、第１の実施形態乃至第４の実施形態と比べて、蓋体部１１０を有さず、回転部１１１を試薬容器７に設ける点が異なる。磁場を用いて回転部１１１を自転動作させる機構など、蓋体部１１０を有していない点以外は第１の実施形態乃至第４の実施形態と同様である。
【００６８】
図１１は、本実施形態における試薬容器の断面の概略図である。
【００６９】
回転部１１１は、試薬容器７に備わる支持部１１５によって支持されている。本実施形態では蓋体部が存在せず、試薬容器７に固定されている支持部１１５に支持される回転部１１１が自転することにより、試薬容器７の開閉状態が決まる。また、試薬容器７の幅Ｘが同様の場合、蓋体部を用いることなく、本実施形態のように回転部１１１を試薬容器７に設けることにより、より大きな開口部１２０を得ることができる。故に、蓋体部を有する第１の実施形態乃至第４の実施形態いずれの場合と比較して、試薬庫の自転動作制御の精度、又は各種プローブの動作制御の精度が荒くてもよくなる。したがって、回転部１１１の自転不足等による開閉状態の制御不足に起因した不具合な事象が生じた場合でも、開口部１２０が大きいことにより、ある程度は許容することが可能になる。
【００７０】
（第６の実施形態）
第６の実施形態は、第１の実施形態乃至第５の実施形態と比べて、蓋体部１１０に開閉部１１８が備わる点が異なる。開閉部１１８は、磁場発生部９０から発生される磁力の影響によって、開閉状態の制御がなされる。以下、図１２を用いて説明する。
【００７１】
図１２は、本実施形態における蓋体部の断面の概略図である。
【００７２】
開閉部１１８は、例えば磁性体が含まれる１枚の板によって構成される。開閉部１１８は、磁場発生部９０から発生される磁力の影響を受けていない状態では、図１２（ａ）に示すように蓋体部１１０を閉口状態にする。一方、磁場発生部９０から発生される磁力の影響を受けている状態では、例えば図１２（ｂ）に示すように蓋体部１１０を開口状態にする。なお本実施形態における開閉部１１８は、例えば図１３に示すように磁性体が含まれる２枚の板から構成されるものでもよい。その他、開閉部１１８による蓋体部１１０の開閉制御に関し、種々の手段／構成が適用される。また、第５の実施形態と同様に、開閉部１１８は蓋体部１１０ではなく試薬容器７に設けられていてもよい。
【００７３】
なお図１２（ｂ）の状態から図１２（ａ）の状態への開閉部１１８の制御、及び図１３（ｂ）の状態から図１３（ａ）の状態への開閉部１１８の制御は、例えば開閉部１１８に設けられた弾性体（図示なし）の働きによって行われる。即ち、例えば蓋体部１１０と開閉部１１８とが弾性体によって接続されることにより、開閉部１１８が磁力の影響を受けていないときは、開閉部１１８は図１２（ａ）（図１３（ａ））の状態を保つようにする。これにより、所望のタイミング時のみ開閉部１１８が開口状態になることで、試薬の不要な蒸発や汚染を軽減することができる。
【００７４】
いくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれるものである。
【符号の説明】
【００７５】
Ｒ    試薬
２    試薬庫
３    試薬庫
７    試薬容器
１４  第１試薬分注プローブ
１５  第２試薬分注プローブ
１６  サンプル分注プローブ
７０  分析制御部
９０  磁場発生部
１００  自動分析装置
１１１  回転部
１１２  磁性体部
【図１】
2014002137.tif 000003
【図２】
2014002137.tif 000004
【図３】
2014002137.tif 000005
【図４】
2014002137.tif 000006
【図５】
2014002137.tif 000007
【図６】
2014002137.tif 000008
【図７】
2014002137.tif 000009
【図８】
2014002137.tif 000010
【図９】
2014002137.tif 000011
【図１０】
2014002137.tif 000012
【図１１】
2014002137.tif 000013
【図１２】
2014002137.tif 000014
【図１３】
2014002137.tif 000015